(57)【要約】      （修正有）【課題】脱げにくく、保温性と通気性に優れたヒールフィットを提供する。【解決手段】ポリウレタンを５％以上含む伸縮性の高い化繊生地を、底辺部分が略Ｖ字型であり、全体が略５角形形状となるように裁断し、筒状になるように縫い合わせたヒールフィット本体に、靴のヒールのアーチ下部分を通るベルトを、一方の略Ｖ字型部分に縫い付け、他方の略Ｖ字型部分に、ベルトの止め具を設ける。【選択図】図３
0003166503.tif 000002
【実用新案登録請求の範囲】
【請求項１】
ポリウレタンを５％以上含む伸縮性の高い化繊生地を、足首に装着できるように、二つ折りにして筒状に縫い合わせた後の形状が長方形で、その底辺部分が略Ｖ字型である、全体が略５角形形状となるように、裁断し、裁断した前記化繊生地を筒状になるように縫い合わせたヒールフィット本体に、靴のヒールのアーチ下部分を通るベルトを、一方の前記略Ｖ字型部分に縫い付け、他方の前記略Ｖ字型部分に、前記ベルトの止め具を設けた事を特徴とするヒールフィット。
【考案の詳細な説明】
【技術分野】
【０００１】本考案は、歩きやすさと保温を追及した、靴、特に婦人靴に関するものである。
【背景技術】
【０００２】婦人靴、特にハイヒールは、デザインによってサイズが合っていても、脱げやすく、歩きにくく、疲れやすい事が多い為、従来の考案にソックスの先端を切断し、かかとに穴を開け、前面を縦に切開しテープファスナーで開閉するフットカバーがある。
【先行技術文献】
【特許文献】
【０００３】
【特許文献１】登録実用新案第３０２７５２０号
【考案の概要】
【考案が解決しようとする課題】
【０００４】従来の考案は、着脱用にテープファスナーを利用しているが、ストッキングに触れた場合、伝線や破れて穴の開く可能性が高い上、ソックスを利用しているので、ファッション性に乏しく、外出時の実用性に欠けているものであった。【０００５】本考案は、ストッキングが破れず、またおしゃれの妨げにならずに、保温ができて靴を脱げにくくするカバー（ヒールフィット）を実現する事を目的とするものであり、伸縮性の高い２ＷＡＹ（２方向に伸縮）タイプの水着やレオタード用の生地を縫製して使用する為、より高いフィット感が実現できファッション性も高い。
【課題を解決するための手段】
【０００６】本考案は、ポリウレタンを５％以上含む伸縮性の高い化繊生地を、足首に装着できるように、二つ折にして筒状に縫い合わせた後の形状が長方形で、その底辺部分が略Ｖ字型である、全体が略５角形形状となるように、裁断し、裁断した前記化繊生地を筒状になるように縫い合わせたヒールフィット本体に、靴のヒールのアーチ下部分を通るベルトを、一方の前記略Ｖ字型部分に縫い付け、他方の前記略Ｖ字型部分に、前記ベルトの止め具を設けた事を特徴とするヒールフィットである。
【考案の効果】
【０００７】上述の様に、本考案のヒールフィットは、ヒールのアーチ下部分にベルトを通し靴に装着する事により、足と靴を一体化する事が最大の特徴であり、素材の特性を生かし足首にもフィットし、脱げにくく歩きやすくなるばかりでなく、保温性・通気性にも優れ、ショートブーツのような感覚でファッショナブルに足元のおしゃれを楽しむ事ができる。【０００８】また、着脱式なので不要の際は、はずして小さくたため携帯が可能であり、必要に応じて使用することができ、なによりも止め具がストッキングとは離れた箇所にあるのでテープファスナーに「ストッキングが引っかかり、伝線や破れて穴が開く心配が無くなった。
【図面の簡単な説明】
【０００９】
【図１】本考案のヒールフィットの一実施例を示す図
【図２】本考案のヒールフィットを足首に装着した図
【図３】本考案のヒールフィットを装着し靴を履いた側面図
【図４】本考案の裁断した化繊生地、及び縫い合わせたヒールフィット本体の一実施例を示す図
【考案を実施するための形態】
【００１０】本考案のヒールフィットに使用する化繊生地としてはポリウレタンを５重量％以上、好ましくは５〜７０重量％含む、伸縮性の高い２ＷＡＹタイプ（水着やレオタード用）のものがよく、例えば１３〜２０重量％ポリウレタン−ポリエステルの生地等が市販されている。
【００１１】以下、添付図面に従って一実施例を説明する。
上記のような化繊生地を二つ折にして図４（ｂ）に示すように筒型に縫い合わせた後の形状が縦長の長方形で、その長方形の底辺部分が略Ｖ字型であり、全体形状として略５角形形状となるように裁断する。
【００１２】この二つ折りにして裁断した生地を広げると図４（ａ）のような左右対称な形状となっており、縫製しない輪の部分２４をヒールフィットの前方向（つま先方向）とし、縫製する後ろ方向（かかと方向）には縫い代部分２３を設ける。
なお、最初から図４（ａ）のような形状に裁断した後、二つ折りにしてもよい。
【００１３】すなわち、足首の幅や足首を覆う好みの長さの長方形に裁断し、更にヒールフィットを野球で着用するストッキングに良く似た形状にするため、前記長方形の底辺部分を略Ｖ字型に裁断するが、その際、図１の略Ｖ字型の前（つま先側）に当たる部分３の裁断角度を、略Ｖ字型の後ろ（かかと側）にあたる部分４の裁断角度より若干大きく裁断する。
【００１４】図４（ａ）の縫い代部分２３を縫い合わせ、図４（ｂ）の筒状となったヒールフィット本体２の、縫い合わせた方を後ろ側（かかと側）として、一方の略Ｖ字型部分２１内側（足側）の中央に、ヒールのアーチ下部分１０を通るベルト６を縫い付け、ベルトの先端付近にボタンホール７を設け、他方の略Ｖ字型部分２２の足の外側となる部分中央にあたる位置に、生地の強度を増す為に、裏側（足側）に当て布を当て、止め具、例えばボタン・ホック・ナスカン等の手芸用止め具Ａ５を取り付け、一対あるうちの片方のヒールフィットの完成とする。
【００１５】なお、ボタンを使用しない場合は、前記ボタンホール７に換え、前記手芸用止め具Ａ５と対になる手芸用止め具Ｂ７を設ける。ベルト６と止め具５を取り付ける位置を、内側と外側を逆にして、もう片方のヒールフィットの完成とする。なお、当て布の生地は何でもよく、またヒールフィット本体の縫い目を前側（つま先側）にしても良い。
【００１６】完成したヒールフィット１の使用方法は、図２のように、例えばボタン５を左足の足首外側にくるようにして、先に足首に装着し、図３のように靴を履き、ベルト６を、ヒールのアーチ下部分１０に通し、止め具７に掛け、足に靴をフィットさせ使用するが、その際、ベルト６の素材は、ヒールフィット本体２と異なる素材を使用する事もできるので、革やチェーン等を使って、よりファッショナブルにする事も可能であるが、ヒールフィット本体２は伸縮性の高い素材でなければならない。
【産業上の利用可能性】
【００１７】生地の特性を活かし、足と靴がフィットし、脱げにくく、歩きやすく、疲れにくくなるばかりでなく、保温性・通気性に優れ、長時間履いても不快に蒸れることがなく、色や柄が鮮やかな生地を使用することにより、靴では味わえない着替えるブーツのような感覚で、足元のおしゃれを楽しむ事ができ、その上、着脱が簡単で小さくたためるため携帯に便利、必要な時に使用できるので海外旅行時などには特に役立つ。
【符号の説明】
【００１８】１  ヒールフィット
２  ヒールフィット本体
３  略Ｖ字型の前にあたる部分（つま先側）
４  略Ｖ字型の後ろにあたる部分（かかと側）
５  手芸用止め具Ａ
６  ベルト
７  ボタンホール又は手芸用止め具Ｂ
８  靴
９  ヒール
１０  ヒールのアーチ下部分
２０  裁断した化繊生地
２１  一方の略Ｖ字型部分
２２  他方の略Ｖ字型部分
２３  縫い代部分
２４  ヒールフィット本体中心線（輪の部分）
【図１】
0003166503.tif 000003
【図２】
0003166503.tif 000004
【図３】
0003166503.tif 000005
【図４】
0003166503.tif 000006